(57)【要約】【課題】記録用ディスクのチェンジャ機能を有すると共に、再生されるディスクと同じサイズの記録用ディスクを自動的に選択できるディスク記録装置を提供する。【解決手段】ディスク記録装置は、第１ディスク２からデータを読み出すデータ読出し手段１と、複数の第２ディスク８を格納可能であると共に、これら第２ディスク８から１つを選択してデータの書込みを行うデータ書込み手段９，１０と、前記第１ディスク２のサイズを識別する第１識別手段２１と、格納された各第２ディスク８のサイズを識別する第２識別手段とを具えており、前記第１ディスク２と同じサイズの第２ディスク８を選択して、選択された第２ディスク８に前記第１ディスク２のデータを記録する。【選択図】　　図１
2004086963.tif 000002
【特許請求の範囲】
【請求項１】
第１ディスク（２）からデータを読み出すデータ読出し手段（１）と、
複数の第２ディスク（８）を格納可能であると共に、これら第２ディスク（８）から１つを選択してデータの書込みを行うデータ書込み手段（９）（１０）と、
前記第１ディスク（２）のサイズを識別する第１識別手段（２１）と、
格納された各第２ディスク（８）のサイズを識別する第２識別手段とを具え、
前記第１ディスク（２）と同じサイズの第２ディスク（８）を選択して、選択された第２ディスク（８）に前記第１ディスク（２）のデータを記録するディスク記録装置。
【請求項２】
前記データ書込み手段（９）（１０）は、第２ディスク（８）を載置する１つ又は複数のトレイ（３１）を具えており、
前記第２識別手段は、前記トレイ（３１）に形成された１つ又は複数のディスク載置領域（３５）の夫々に対して配設されたスイッチ（４０）であり、
前記スイッチ（４０）は、第１サイズの第２ディスク（８）がトレイ（３１）に載置された場合に、前記第１サイズの第２ディスク（８）と接触し、第２サイズの第２ディスク（８）がトレイ（３１）に載置された場合に、前記第２サイズの第２ディスク（８）と接触しない請求項１に記載のディスク記録装置。
【発明の詳細な説明】
【０００１】
【発明が属する技術分野】
本発明は、複数のディスクを格納可能であると共に、これらディスクの中から選択したディスクにデータを記録するチェンジャ機能を具えたディスク記録装置に関する。
【０００２】
【従来の技術】
ＣＤ−Ｒ（ＣＤ−Ｒｅｃｏｒｄａｂｌｅ）及びＣＤ−ＲＷ（ＣＤ−ＲｅＷｒｉｔｂｌｅ　）は、光学的手法によりデータを記録するディスク状記録媒体として広く普及している。周知のように、ＣＤ−Ｒ及びＣＤ−ＲＷ（以下、「ＣＤ−Ｒ／ＲＷ」と称す）には、記録容量に応じて直径８ｃｍと１２ｃｍの２種類のサイズがある。
【０００３】
デジタルオーディオデータが記録されるＣＤにも、同様に直径８ｃｍと１２ｃｍの２種類のサイズがある。ＣＤの全記録領域に係るデータをそのままＣＤ−Ｒ／ＲＷに記録する場合、すなわちダビングする場合には、通常、ＣＤと同じサイズのＣＤ−Ｒ／ＲＷが使用される。例えば、ＣＤのサイズが直径８ｃｍである場合に直径１２ｃｍのＣＤ−Ｒ／ＲＷを使用すると、未記録領域が相当残ってしまうので効率的ではないからである。
【０００４】
【発明が解決しようとする課題】
上記のようなＣＤのダビングでは、１枚の記録用ディスクのみを格納可能な記録装置を使用する場合、使用者はＣＤのサイズに合った記録用ディスクを選択して記録装置に格納すればよい。しかしながら、複数の記録用ディスクを格納可能であり、これら記録用ディスクの中から選択されたディスクにデータを記録するチェンジャ機能を具えた記録装置を使用する場合には、使用者が、ＣＤと同じサイズの記録用ディスクが記録装置に格納されているか否かを確認及び管理しなくてはならないという問題が生ずる。
【０００５】
本発明は、上記の問題点を解決するものであり、記録用ディスクのチェンジャ機能を有すると共に、再生されるディスクと同じサイズの記録用ディスクを自動的に選択できるディスク記録装置を提供する。
【０００６】
【課題を解決するための手段】
本発明のディスク記録装置は、第１ディスクからデータを読み出すデータ読出し手段と、複数の第２ディスクを格納可能であると共に、これら第２ディスクから１つを選択してデータの書込みを行うデータ書込み手段と、前記第１ディスクのサイズを識別する第１識別手段と、格納された各第２ディスクのサイズを識別する第２識別手段とを具え、前記第１ディスクと同じサイズの第２ディスクを選択して、選択された第２ディスクに前記第１ディスクのデータを記録する。
【０００７】
さらに、本発明のディスク記録装置では、前記データ書込み手段は、第２ディスクを載置する１つ又は複数のトレイを具えており、前記第２識別手段は、前記トレイに形成された１つ又は複数のディスク載置領域の夫々に対して配設されたスイッチであり、前記スイッチは、第１サイズの第２ディスクがトレイに載置された場合に、前記第１サイズの第２ディスクと接触し、第２サイズの第２ディスクがトレイに載置された場合に、前記第２サイズの第２ディスクと接触しない。
【０００８】
【作用及び効果】
本発明のディスク記録装置は、データを読み出す第１ディスクのサイズを識別する第１識別手段と、データ記録用の各第２ディスクのサイズを識別する第２識別手段とを具えているので、第１ディスクと同じサイズの第２ディスクを自動的に選択して、この選択された第２ディスクに第１ディスクのデータを記録できる。よって、第１ディスクのデータを第２ディスクに記録する場合に、格納されている第２ディスクのサイズを使用者が確認せずとも、適切なサイズの第２ディスクにデータが記録される。また、上記構成によって、適切なサイズの第２ディスクが格納されていない場合に、第１ディスクと同じサイズの第２ディスクを格納するように、ディスク記録装置が使用者に対して指示することも可能となる。
【０００９】
ディスク記録装置に格納されている第２ディスクのサイズを、該装置のデータ記録用の光ピックアップを用いて識別することも可能であるが、格納されている全ての第２ディスクを、個別にターンテーブルに装着してそのサイズを識別することは煩雑であり時間を要する。第２識別手段をトレイに形成された１つ又は複数のディスク載置領域の夫々に対して配設されたスイッチとし、第２ディスクのサイズに応じてスイッチが接触又は非接触状態になるようにすると、トレイに第２ディスクを載置するだけでそのサイズを識別でき、第２ディスクへの記録動作を迅速に行うことができる。
【００１０】
【発明の実施の形態】
以下、本発明の実施例を図を用いて説明する。図１は、本発明に係るディスク記録装置の概要を示すブロック図である。第１ディスクドライブユニット（１）は、ディスクが装着されるターンテーブル、該ターンテーブルを回転させるスピンドルモータ、レーザ光源と対物レンズを有する光ピックアップ、及び光ピックアップ移動用のスレッド機構等から構成されている。ＣＤや既記録のＣＤ−Ｒ／ＲＷなどの、データが読み出される光ディスク記録媒体（２）（以後、「第１ディスク」と称す）が、第１ディスクドライブユニット（１）に装着される。第１ディスクドライブユニット（１）が、第１ディスク（２）のデータ記録領域にレーザ光を照射して、その反射光を電気信号に変換することにより、第１ディスク（２）からのデータの読出しが行われる。第１ドライブ制御回路（３）は、第１ディスクドライブユニット（１）に対して、データ読出しの際に行われる対物レンズや光ピックアップの移動等に必要なサーボ制御を行う。
【００１１】
第１ＲＦアンプ（４）は、第１ディスクドライブユニット（１）から送られた電気信号から、記録データに係る再生信号、及び第１ディスクドライブユニット（１）のサーボ制御に必要なトラッキングエラー信号等を作成する。再生信号は第１信号処理部（５）へ、トラッキングエラー信号等は第１ドライブ制御回路（３）へ送られる。第１信号処理部（５）は、入力された再生信号をデジタル化した後にＥＭＦ復調処理等を行ってデジタルデータを作成する。該デジタルデータは、メモリコントローラ（６）に送られて所定のレートでバッファメモリ（７）に格納される。詳細は省略するが、メモリコントローラ（６）には、バッファメモリ（７）に格納されたデジタルデータをパーソナルコンピュータ等の外部装置へ送るためのインターフェース部や、デジタルオーディオデータをアナログ化してオーディオ用増幅装置等の外部装置へ送るためのＤ／Ａ変換器及び外部接続端子等が接続されている。
【００１２】
本発明のディスク記録装置は、バッファメモリ（７）に格納された第１ディスク（２）のデータをＣＤ−Ｒ／ＲＷ等の光ディスク（８）（以後、「第２ディスク」と称す）に記録することも可能である。ディスク記録装置は、第２ディスク（８）を複数格納可能なチェンジャ装置（９）と、第２ディスク（８）にデータを書き込むための第２ディスクドライブユニット（１０）とを具えている。第２ディスクドライブユニット（１０）は、第１ディスクドライブユニット（１）とほぼ同様の構成であって、ターンテーブル及び光ピックアップ等を有しているが、ＣＤ−Ｒ／ＲＷの記録層にデータを書込み可能なように第１ディスクドライブユニット（１）よりも高出力のレーザ光を取扱い可能となっている。
【００１３】
第１ディスク（２）のデータが第２ディスク（８）に記録される場合、バッファメモリ（７）に格納されたデジタルデータは、メモリコントローラ（６）によって適宜読み出されて、第２信号処理部（１１）にてＥＭＦ変調処理等及びアナログ化がされる。第２信号処理部（１１）からのアナログ信号が送られる第２ＲＦアンプ（１２）は、第２ディスクドライブユニット（１０）が有する光ピックアップのレーザ光源の発光を制御する。該レーザ光源から発せられたレーザ光が第２ディスク（８）の記録層に照射されて、第２ディスク（８）へのデータの書込みが行われる。第２ディスクドライブユニット（１０）の光ピックアップは、第２ディスク（８）に反射されたレーザ光に基づいて電気信号を発生し、第２ＲＦアンプ（１２）は、該電気信号からトラッキングエラー信号等を生成する。トラッキングエラー信号等は第２ドライブ制御回路（１３）へ送られて、データ書込み動作における第２ディスクドライブユニット（１０）のサーボ制御が行われる。なお、本実施例のディスク記録装置を、第２ディスク（８）の記録に加えて再生も可能なように構成してもよい。
【００１４】
チェンジャ装置（９）は、第２ディスクが載置される複数のトレイ（３１）を具えている。これらトレイ（３１）は上下に配列されており、戴置された第２ディスク（８）を第２ディスクドライブユニット（１０）側に出退可能に構成されている。第２ディスクドライブユニット（１０）は昇降可能であって、第２ディスクドライブユニット（１０）側に出された第２ディスク（８）の下側から該第２ディスクドライブユニット（１０）が上昇すると、第２ディスク（８）がターンテーブルに装着される。チェンジャ機構制御部（１４）は、トレイ（３１）の出退及び第２ディスクドライブユニット（１０）の昇降等の制御を行う。
【００１５】
システムコントローラ（１５）は、本ディスク記録装置の統括的な制御を行うものであり、第１ディスク（２）及び第２ディスク（８）に関する情報や再生及び記録動作に関する各種情報が表示される表示部（１６）と、使用者が動作の開始及び終了等の各種指示を与えるための釦等を具える操作部（１７）とが接続されている。
【００１６】
ディスク記録装置は、第１ディスク（２）のサイズを識別するディスク識別センサ（２１）を具えている。図２は、第１ディスクドライブユニット（１）の一部側面図である。シャーシ（２２）にはスピンドルモータ（２３）が配設され、該スピンドルモータ（２３）の回転軸に取り付けられたターンテーブル（２４）に第１ディスク（２）が装着される。第１ディスク（２）のサイズには、直径８ｃｍと１２ｃｍの２つのサイズがある。図２では、１２ｃｍサイズの第１ディスク（２）における直径８ｃｍを超えた領域を破線で示している。ディスク識別センサ（２１）は発光部（２１ａ）と受光部（２１ｂ）とを含んでおり、発光部（２１ａ）は該領域の下側に配設されて上方へ光を発する。受光部（２１ｂ）は、該領域を挟んで発光部（２１ａ）に対向する位置に配設され、発光部（２１ａ）からの光を検出すると電気信号を発する。該電気信号はシステムコントローラ（１５）に送られる。
【００１７】
直径８ｃｍのディスクがターンテーブル（２４）に装着された場合には、受光部（２１ｂ）は、発光部（２１ａ）からの光を検出するが、直径１２ｃｍのディスクが装着された場合には、光は該ディスクに遮断されて受光部（２１ｂ）に至らない。このようにして、ディスク識別センサ（２１）は第１ディスク（２）のサイズを識別する。なお、ディスク判別センサ（２１）の代わりに、光ピックアップ（２５）で読み取られた第１ディスク（２）のＴＯＣ（Ｔａｂｌｅ　ｏｆ　Ｃｏｎｔｅｎｔｓ）情報を用いて第１ディスク（２）のサイズを識別することも可能である。
【００１８】
図３は、チェンジャ装置（９）及び第２ディスクドライブユニット（１０）周辺の斜視図である。チェンジャ装置（９）は、合計６つのトレイ（３１）を具えており（図３では説明上１つのみ示す）、これらトレイ（３１）の両側部は、フレーム（３２）に形成されたガイド板（３３）間に嵌められている。トレイ摺動機構（３４）が駆動することによって、各トレイ（３１）は、図面の左方向に押し出されてディスク記録装置の筐体表面（図示せず）から突出する。この状態でディスクがトレイ（３１）上に載置されると、再度トレイ摺動機構（３４）が駆動してトレイ（３１）が筐体内に収納される。
【００１９】
図４は、トレイ（３１）の斜視図である。トレイ（３１）はディスクが載置される第１部材（３１ａ）とこれを摺動自在に保持する第２部材（３１ｂ）とで構成されている。第１部材（３１ａ）には、デイスクの載置領域として１２ｃｍディスクが嵌まる第１凹部（３５）が形成されており、さらに、該第１凹部（３５）の内側には８ｃｍディスクが嵌まる第２凹部（３６）が形成されている。第１部材（３１ａ）側部の先端には、図示を省略した駆動機構と歯合するラック（３７）が形成されており、該駆動機構が働くことによって、第１部材（３１ａ）が第２ディスクドライブユニット（１０）側へ出退する。図３に示すように、第２ディスクドライブユニット（１０）の基台部（５１）はウォーム軸（５２）と螺合しており、該ウォーム軸（５２）が回転すると第２ディスクドライブユニット（１０）は上下に移動する。第１部材（３１ａ）には開口（３８）が形成されているので、第１部材（３１ａ）が第２ディスクドライブユニット（１０）上に引き出された状態で第２ディスクドライブユニット（１０）が上昇すると、第２ディスクドライブユニット（１０）のターンテーブル（５３）にディスクが装着される。また、開口（３８）は、第２ディスクドライブユニット（１０）の光ピックアップ（５４）がディスクの内周側から外周側に亘ってレーザ光を照射可能な大きさを有している。
【００２０】
チェンジャ装置（９）の各トレイ（３１）にはスイッチ（４０）が配設されており、これらスイッチ（４０）群が第２ディスク（８）のサイズの識別手段を構成する。図５は、図４のＡ−Ａ線を含む垂直平面で第１部材（３１ａ）を破断した一部断面図である。図３及び図４と共に、図５も合わせて参照すると、第１部材（３１ａ）の第１凹部（３５）の底部には開口（３９）が形成されており、第１部材（３１ａ）の下面にスイッチ（４０）が配設されている。該スイッチ（４０）の押し部材（４１）は該開口（３９）に挿通しており、押し部材（４１）の先端面は、第１凹部（３５）の底面よりも若干上方に位置している。よって、第１凹部（３５）に１２ｃｍディスクが載置されると、該ディスク下面と押し部材（４１）が接触してスイッチ（４０）が押されて、トレイ（３１）に１２ｃｍディスクが載置されていることをシステムコントローラ（１５）が認識する。全てのトレイ（３１）にディスクが格納されている場合には、スイッチ（４０）が押されていないトレイには８ｃｍディスクが載置されていることになる。押し部材（４１）が第２ディスク（８）のデータ記録領域と接触しないように、スイッチ（４０）は、第２ディスク（８）の外周近傍に配置されるのが好ましい。なお、第２凹部（３６）の下面にも同様にスイッチを配設すると、トレイ（３１）にディスクが載置されているか否かについても、システムコントローラ（１５）は容易に認識することができる。
【００２１】
図４に示すように、第２部材（３１ｂ）の内側の両側部には、第１部材（３１ａ）の摺動をガイドするガイド片（４２）が形成されている。また、第２部材（３１ｂ）の右側部には、トレイ摺動機構（３４）と嵌合する突片（４３）が形成されている。第２部材（３１ｂ）の底部には開口（４４）が形成されており、スイッチ（４０）に繋がるリード線は第２部材（３１ｂ）と干渉することなく配置されている。
【００２２】
図６に、第１ディスク（２）のデータを読み出して第２ディスク（８）にダビングする場合における、本実施例のディスク記録装置の動作のフローチャートを示す。使用者が第１ディスク（２）を第１ディスクドライブ（１）に装着して、操作部（１７）を用いて動作開始の指令を送ると、まず、システムコントローラ（１５）は、ディスク識別センサ（２１）によって第１ディスク（２）のサイズを識別する（Ｓ１）。次に、システムコントローラ（１５）は、スイッチ（４０）群によって各トレイ（３１）に格納された第２ディスク（８）のサイズを識別する（Ｓ２）。なお、全てのトレイ（３１）には第２ディスク（８）が載置されているとする。
【００２３】
システムコントローラ（１５）は、ステップＳ１及びＳ２の結果に基づいて、チェンジャ装置（９）が第１ディスク（２）と同じサイズの第２ディスク（８）を有しているか否かを判断する（Ｓ３）。第１ディスク（２）と同じサイズの第２ディスク（８）がない場合、表示部（１６）には「同サイズディスクなし」と表示され、使用者に対して、同じサイズの第２ディスク（８）をチェンジャ装置（９）に入れるように催促がされる（Ｓ４）。
【００２４】
第１ディスク（２）と同じサイズの第２ディスク（８）がある場合、第２ディスクドライブユニット（１０）は、これら第２ディスク（８）の中で最上段のトレイ（３１）に載置されたものを装着する（Ｓ５）。そして、この第２ディスク（８）に既にデータが記録されているか否かが判断される（Ｓ６）。例えば、第２ディスクドライブユニット（１０）の光ピックアップ（５４）から第２ディスク（８）へ照射したレーザ光の反射率を測定することにより、第２ディスク（８）が未記録又は既記録であるかを判断できる。
【００２５】
第２ディスク（８）が未記録である場合、第２ディスク（８）に第１ディスク（２）のデータが書き込まれる（Ｓ７）。また、第２ディスク（８）が追記可能なＣＤ−ＲＷの場合には、既記録であっても使用者が追記を指示すると、第２ディスク（８）に第１ディスク（２）のデータが書き込まれる。第２ディスク（８）が既記録である場合（第２ディスク（８）がＣＤ−ＲＷの場合には、使用者が追記を指示しないと）、第２ディスクドライブユニット（１０）は、第１ディスク（２）と同じサイズの第２ディスク（８）の中で次段のトレイ（３１）に載置されたものを装着する（Ｓ８）。そして、ステップＳ６と同様に、第２ディスク（８）に既にデータが記録されているか否かが判断され（Ｓ９）、未記録の場合又は追記が指示された場合に、第２ディスク（８）に第１ディスク（２）のデータが書き込まれる（Ｓ１０）。
【００２６】
既記録の場合又は追記が指示されなかった場合、システムコントローラ（１５）は、現在第２ディスクドライブユニット（１０）に装着されている第２ディスク（８）が、１ディスク（２）と同じサイズの第２ディスク（８）の中で最下段のトレイ（３１）に格納されたものであるか否かを判断する（Ｓ１１）。装着されている第２ディスク（８）が最下段のトレイ（３１）に載置されたものでない場合、ステップＳ８以降が繰り返し行われる。装着されている第２ディスク（８）が最下段のトレイ（３１）に格納されたものである場合、表示部（１６）には「記録可能ディスクなし」と表示され、使用者に対して、記録可能な第２ディスク（８）をチェンジャ装置（９）に入れるように催促がされる（Ｓ１２）。
【００２７】
上記の説明は、全てのトレイ（３１）にディスクが格納されていることを前提としたが、空きトレイ（３１）がある場合であっても、先述のように、トレイ（３１）に形成された第２凹部（３６）の下面にスイッチを配設すれば、各トレイ（３１）に格納された第２ディスク（８）のサイズに加えて、各トレイ（３１）にディスクが載置されているか否かも識別でき、図６に示した処理を問題なく行うことができる。
【００２８】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。特に、本発明は、実施例のチェンジャ装置の具体的構成に限定されることはなく、例えば、ディスク記録装置のチェンジャ装置が、複数のディスク載置領域が周回りに形成された円盤状のトレイを具えるものであっても、本発明を適用することは可能である。
【図面の簡単な説明】
【図１】本発明に係るディスク記録装置の基本構成を示すブロック図である。
【図２】本発明に係るディスク記録装置の第１ディスクドライブユニットの一部側面図である。
【図３】本発明に係るディスク記録装置におけるチェンジャ装置及び第２ディスクドライブユニット周辺の斜視図である。
【図４】本発明に係るディスク記録装置のトレイの斜視図である。
【図５】図４のＡ−Ａ線を含む平面で第１部材を破断した一部断面図である。
【図６】第１ディスクのデータを読み出して第２ディスクに書込む場合における、本発明のディスク記録装置の動作のフローチャートである。
【符号の説明】
（１）　　　　第１ディスクドライブユニット
（２）　　　　第１ディスク
（８）　　　　第２ディスク
（９）　　　　チェンジャ装置
（１０）　　第２ディスクドライブユニット
（２１）　　ディスク識別センサ
（３１）　　トレイ
（３５）　　　ディスク載置領域
（４０）　　　スイッチ
【図１】
2004086963.tif 000003
【図２】
2004086963.tif 000004
【図３】
2004086963.tif 000005
【図４】
2004086963.tif 000006
【図５】
2004086963.tif 000007
【図６】
2004086963.tif 000008